(57)【特許請求の範囲】
【請求項１】
受液側に向けられる透液性のトップシートと、外側に向けられるバックシートと、前記トップシートと前記バックシートとの間に挟まれる吸収コアとを有する本体、および前記本体の受液側で本体の長手方向に延び且つ前記長手方向と直交する幅方向の両側に配置された一対の防漏カフを有する吸収性物品において、
上記一対の防漏カフは、一方の縁部が固定縁部として前記本体に固定され他方の縁部が自由縁部となって、この自由縁部に前記長手方向に伸縮力を発生して防漏カフを起立させる第１の弾性部材が設けられ、
前記防漏カフの前記固定縁部と自由縁部との間には、前記防漏カフを構成するシートを折り畳んでその折り畳み内面を接合させたフラップが、前記本体の幅方向の中心側へ向けて突出形成されていることを特徴とする吸収性物品。
【請求項２】
前記フラップは、前記防漏カフから本体の幅方向中心側と、幅方向の外側の双方に突出形成されている請求項１記載の吸収性物品。
【請求項３】
前記フラップは、前記防漏カフから本体の幅方向の中心側に少なくとも２つ設けられて第２と第３のフラップを形成し、この２つのフラップは共に本体の長手方向に延びる請求項１記載の吸収性物品。
【請求項４】
第２と第３のフラップは、本体の長手方向に間隔を開けて互いに接合され、前記接合による接合部間で、前記第２と第３のフラップによりポケットが形成されている請求項３記載の吸収性物品。
【請求項５】
前記第２と第3のフラップの中間において、前記フラップが防漏カフの幅方向の外側へ突出形成されて外向フラップを形成している請求項３または４記載の吸収性物品。
【請求項６】
前記フラップの防漏カフからの突出長が、５ｍｍ以上１０ｍｍ以下である請求項１〜５のいずれかに記載の吸収性物品。
【請求項７】
防漏カフに前記フラップが複数設けられる場合に、第２と第３のフラップの間隔が最も離れている部分で、前記間隔が１０ｍｍ以上１５ｍｍ以下である請求項１〜６のいずれかに記載の吸収性物品。
【請求項８】
前記各フラップの自由端には、本体の長手方向へ伸縮力を発揮する弾性部材が設けられ、本体部を長手方向が平面となるように展開させたときの第１の弾性部材の収縮張力が、各フラップに設けられる弾性部材の伸縮張力よりも大きい請求項１〜７のいずれかに記載の吸収性物品。
【請求項９】
受液側に向けられる透液性のトップシートと、外側に向けられるバックシートと、前記トップシートと前記バックシートとの間に挟まれる吸収コアとを有する本体、および前記本体の受液側で本体の長手方向に延び且つ前記長手方向と直交する幅方向の両側に配置された一対の防漏カフを有する吸収性物品において、
上記一対の防漏カフは、一方の縁部が固定縁部として前記本体に固定され他方の縁部が自由縁部となって、この自由縁部に前記長手方向に伸縮力を発生して防漏カフを起立させる第１の弾性部材が設けられ、
前記防漏カフは、前記固定縁部と自由縁部との間で波形とされており、前記本体の幅方向中心側に向く２つの波の頂点どうしが、前記長手方向に間隔を開けて接合され、
前記接合による接合部間で、前記２つの波形の間にポケットが形成されているていることを特徴とする吸収性物品。
【請求項１０】
前記波形の頂点に、本体の長手方向へ伸縮力を発揮する弾性部材が設けられ、本体部を長手方向が平面となるように展開させたときの第１の弾性部材の収縮張力が、前記波形の頂点に設けられる弾性部材の伸縮張力よりも大きい請求項９記載の吸収性物品。
【請求項１１】
前記接合部間に形成されたポケットの長手方向の開口長さが５ｍｍ以上２０ｍｍ以下である請求項４、９、１０のいずれかに記載の吸収性物品。
【発明の詳細な説明】
【０００１】
【発明の属する技術分野】
本発明は、優れた漏れ防止機能を備えた防漏カフをもつ、使い捨ておむつや尿取りパッドや生理用ナプキンなどの使い捨て吸収性物品に関する。
【０００２】
【従来の技術】
近年、使い捨ておむつなどの吸収性物品が広く使用されている。図１０には従来の使い捨ておむつの側部の一部断面図を示す。この使い捨ておむつは、装着者側に向けられる透液性のトップシート１１０と、外側に向けられる不透液性のバックシート１１１と、前記トップシート１１０と前記バックシート１１１との間に挟まれる吸収コア１１２とで構成されている。おむつの装着者が排泄した場合、排泄物は吸収コア１１２によって吸収されるが、一度に多量の排泄を行なうと、吸収コア１１２によって吸収しきれなかった排泄物が幅方向（Ｘ方向）へ移動する。この排泄物がおむつの側部（すなわち装着者の脚回りに当たる部分）からおむつの外へと漏れることを防止するために防漏カフ１４０が設けられている。防漏カフ１４０は疎水性シート１１４によって形成され、一方の側縁（自由端部１４０ａ）に弾性部材１３０が設けられており、その反対側の側縁がトップシート１１０に固定されて固定縁部１４０ｂとなっている。結果、装着者に向かって立ち上がる防漏カフが形成されている。
【０００３】
本発明の出願人は、このような防漏カフに関し研究開発し、特開平４−２１８１５９号において防漏カフを２重に設けた使い捨て着用物品を開示している。また、特開平８−２１５２３９号において、防漏カフをジグザグ状に折り畳み、内側に向かって開口するポケットが形成された使い捨て体液処理用品を開示している。
【０００４】
【発明が解決しようとする課題】
しかし、尿や軟便などの排泄物は流速が早いので、排出量が多い場合や排出速度が早い場合には排泄物を前記防漏カフによって堰き止めることは難しい。よって、どのような形態の排泄物であってもそれが漏れることを効果的に防止できる防漏カフの出現が強く望まれている。
【０００５】
一方、漏れ防止効果を高くするため、防漏カフの弾性部材の強度を強くして装着者の足回りを強固に閉じるようにしたり、防漏カフを何重にも設けたりすると、装着者は不快感を感じると共に、装着者の肌に当たるおむつの面積が大きくなって、摩擦による肌のかぶれを引き起こし易くなる。またこの場合、ギャザーの部分における空気の流通性も悪くなるので、ムレやかぶれを引き起こし易い。
【０００６】
本発明は上記課題を解決するためのものであり、優れた漏れ防止機能を備えた防漏カフをもつ吸収性物品を提供することにある。
【０００７】
本発明の更なる目的は、優れた漏れ防止機能を備えながらも、装着者の肌がかぶれたり荒れたりすることが少ない吸収性物品を提供することにある。
【０００８】
【課題を解決するための手段】
本発明の前記目的は、受液側に向けられる透液性のトップシートと、外側に向けられるバックシートと、前記トップシートと前記バックシートとの間に挟まれる吸収コアとを有する本体、および前記本体の受液側で本体の長手方向に延び且つ前記長手方向と直交する幅方向の両側に配置された一対の防漏カフを有する吸収性物品において、
上記一対の防漏カフは、一方の縁部が固定縁部として前記本体に固定され他方の縁部が自由縁部となって、この自由縁部に前記長手方向に伸縮力を発生して防漏カフを起立させる第１の弾性部材が設けられ、
前記防漏カフの前記固定縁部と自由縁部との間には、前記防漏カフを構成するシートを折り畳んでその折り畳み内面を接合させたフラップが、前記本体の幅方向の中心側へ向けて突出形成されていることを特徴とする吸収性物品によって達成される。
【０００９】
本発明の吸収性物品では、フラップは幅方向における中心側へ突出し、防漏カフの固定端部から自由端部までの実質的距離が長くなっているので、排泄位置における吸収コアで吸収しきれない流速の早い排泄物が幅方向へと流れて防漏カフを乗り越えようとするのに対し、排泄物の速度がフラップの存在によって遅くなり、排泄物の漏れを効果的に防ぐことができる。また、本発明の吸収性物品の装着時には防漏カフとフラップの各自由端部が肌に接触することとなり、おむつの肌に対する接触面積は少ない、すなわち装着者の肌に対する摩擦が少なくて済む。さらに、防漏カフと肌との間に空隙ができるが、本発明ではさらに各フラップの固定端部近辺においても肌との間に空隙ができるので、空気の流通が生じやすい。よって、ムレやかぶれなどの発生を抑えることができる。
【００１０】
前記フラップは、前記防漏カフから本体の幅方向中心側と、幅方向の外側の双方に突出形成されていることが好ましい。
【００１１】
また、前記フラップは、前記防漏カフから本体の幅方向の中心側に２つ設けられて第２と第３のフラップを形成し、この２つのフラップは共に本体の長手方向に延びることが好ましい。この場合、第２と第３のフラップは、本体の長手方向に間隔を開けて互いに接合され、前記接合による接合部間で、前記第２と第３のフラップによりポケットが形成されていることが好ましい。また、前記第２と第３のフラップの中間において、前記フラップが防漏カフの幅方向の外側へ突出形成されて外向フラップを形成していることが好ましい。
【００１２】
本発明においては、前記フラップの防漏カフからの突出長が、５ｍｍ以上１０ｍｍ以下であることが好ましい。また、防漏カフに前記フラップが複数設けられる場合に、第２と第３のフラップの間隔が最も離れている部分で、前記間隔が１０ｍｍ以上１５ｍｍ以下であることが好ましい。
【００１３】
また、前記各フラップの自由端には、本体の長手方向へ伸縮力を発揮する弾性部材が設けられ、本体部を長手方向が平面となるように展開させたときの第１の弾性部材の収縮張力が、各フラップに設けられる弾性部材の伸縮張力よりも大きいことが好ましい。
【００１４】
また本発明は、受液側に向けられる透液性のトップシートと、外側に向けられるバックシートと、前記トップシートと前記バックシートとの間に挟まれる吸収コアとを有する本体、および前記本体の受液側で本体の長手方向に延び且つ前記長手方向と直交する幅方向の両側に配置された一対の防漏カフを有する吸収性物品において、
上記一対の防漏カフは、一方の縁部が固定縁部として前記本体に固定され他方の縁部が自由縁部となって、この自由縁部に前記長手方向に伸縮力を発生して防漏カフを起立させる第１の弾性部材が設けられ、
前記防漏カフは、前記固定縁部と自由縁部との間で波形とされており、前記本体の幅方向中心側に向く２つの波の頂点どうしが、前記長手方向に間隔を開けて接合され、
前記接合による接合部間で、前記２つの波形の間にポケットが形成されていることを特徴とする吸収性物品である。この場合、ポケット内に排泄物が保持されるため、漏れを効果的に防止することができる。
【００１５】
このとき、前記波形の頂点に、本体の長手方向へ伸縮力を発揮する弾性部材が設けられ、本体部を長手方向が平面となるように展開させたときの第１の弾性部材の収縮張力が、前記波形の頂点に設けられる弾性部材の伸縮張力よりも大きいことが好ましい。
【００１６】
さらに、本発明では前記接合部間に形成されたポケットの長手方向の開口長さが５ｍｍ以上２０ｍｍ以下であることが好ましい。
【００１７】
【発明の実施の形態】
以下、図面を参照しながら、本発明の吸収性物品として使い捨ておむつを例にあげて説明する。図１は本発明の使い捨ておむつを透液性シート側から示す平面図、図２は図１に示したおむつのＩＩ−ＩＩ線の断面図、図３は図１に示したおむつのＩＩＩ−ＩＩＩ線の断面図、図４は防漏カフの端部における状態を説明する部分断面図である。
【００１８】
図１に示す本発明の使い捨ておむつ１は、いわゆる砂時計形状のオープン型おむつであり、使用時に装着者の腹部に当てられる前面部２Ａと、使用時に尻部および／または背部に当てられる背面部２Ｃと、使用時に股間部に当てられる中間部２Ｂとを有する。前記前面部から股間を経て前記後面部に至る方向をＹ方向（長手方向若しくは縦方向）とし、それと直交する方向をＸ方向（幅方向）とする。また、図２及び図３に示すように、装着者側に向かう方向をＺ方向とする。
【００１９】
この使い捨ておむつ１は装着者の受液側に向けられる透液性のトップシート１０と、外側に向けられる不透液性のバックシート１１と、前記トップシート１０と前記バックシート１１との間に挟まれる、それらシートより一回り小さな吸収コア１２とで構成されている。それぞれトップシート１０とバックシート１１と吸収コア１２は砂時計形状である。トップシート１０とバックシート１１は、吸収コア１２の周囲でホットメルト型接着剤などにより互いに接合されている。
【００２０】
装着時には、背面部２Ｃの後フラップ（Ｘ方向に突出している部分）が前面部２Ａのバックシート１１上に重ね合わされ、前記背面部２Ｃの後フラップのトップシート１０の両縁部に設けられた掛止シート１７が、前面部２Ａのバックシート側に掛止される。その結果、使い捨ておむつ１が装着者の腰周りにおいて保持、固定される。
【００２１】
トップシート１０は、親水処理された疎水性繊維、親水性繊維などで形成されたものであり、例えばポイントボンド、エアースルー、スパンボンド、スパンレース不織布などである。または、前記不織布に嵩高な不織布からなるクッション層を重ねてトップシートを形成してもよい。バックシート１１は液不透過性で且つ通気性であり、例えばポリオレフィン系の樹脂シートなどにより形成されている。または、バックシートとして不織布を用い、バックシートと吸収コアとの間に防水性フィルムを介在させてもよい。また、その他の吸収性物品の上に重ねられて使用される場合は透液性シートで形成されていてもよい。
【００２２】
吸収コア１２は、吸収性素材、例えば粉砕パルプあるいは粉砕パルプと高吸水性ポリマーの混合物などにより形成され、粉砕パルプあるいは粉砕パルプと高吸水性ポリマーとの混合物がティッシュなどの吸収性シート１３で包まれたものである。また掛止シート１７はゴム系粘着材やアクリル系樹脂などの粘着テープなどである。また、一度接着した後も掛止シート１７が繰り返して接着及び剥離できるように、前フラップのバックシート１１側の対応する位置には樹脂フィルムが好ましくは設けられる。ただし、ウェスト周りの掛止にマジックテープのようなものを用いてもよい。
【００２３】
おむつ１のトップシート１０の上の両側部４、４側には、折り畳まれた帯状の疎水性シート１４、１４が中心線Ｌ１に対して対称に設けられている。この疎水性シート１４によって、図２に示すような横漏れ防止用の防漏カフ４０Ａが形成される。防漏カフ４０Ａでは、疎水性シート１４が側部４側においてトップシート１０上に固定され、防漏カフ４０Ａの起立支点となる固定端部２０ｂが形成されている。一方、疎水性シート１４の反対側（中心線Ｌ１側）の自由端部２０ａには、Ｙ方向におけるほぼ全長にわたって弾性部材３０が伸ばした状態で設けられている。そして、疎水性シート１４の前後の端部１４Ａ、１４Ｃ（Ｙ方向における端部）が、自由端部２０ａを中心線Ｌ１側に倒してトップシート１０上に固定されている。その結果、使い捨ておむつ１はＵ字状態に湾曲し、自由端部２０ａが装着者方向（Ｚ方向）へと立ち上がって横漏れ防止用の防漏カフ４０Ａが一対形成される。なお、自由端部２０ａは側部４側に倒してトップシート１０上に固定されていてもよい。
【００２４】
この防漏カフ４０Ａには、防漏カフ４０Ａを構成する疎水性シート１４を折り畳んでその折り畳み内面を接合させて第２と第３のフラップが形成されている。まず、防漏カフ４０Ａの自由端部２０ａと固定端部２０ｂとの間において、自由端部２０ａから所定距離２０ｈあけて疎水性シート１４を中心線Ｌ１側のＸ方向へと突出させ、第２のフラップ２１が形成されている。第２のフラップ２１の根元が固定端部２１ｂとなっており、その反対側（中心線Ｌ１側）が自由端部２１ａとなっている。そして、自由端部２１ａにはＹ方向におけるほぼ全長にわたって弾性部材３１が設けられている。このとき、フラップを確実に形成するため及びフラップにおける通気性を損ねないため、固定端部２１ｂにおける疎水性シート１４どうしを固定端部２１ｂに沿って接合し、弾性部材３１を固定するために自由端部２１ａに沿って接合し、固定端部２１ｂと自由端部２１ａの間は接合されていないことが好ましい。ただし、固定端部２１ｂから自由端部２１ａまで、疎水性シートどうしは接合されていてもよい。
【００２５】
同様にして、第２のフラップ２１と防漏カフ４０Ａの固定端部２０ｂとの間において、固定端部２１ｂから所定間隔２１ｈをあけて（固定端部２０ｂから所定間隔２２ｈをあけて）、疎水性シート１４を中心線Ｌ１側のＸ方向へと突出させて第３のフラップ２２が形成されている。そして、第２のフラップ２１と同様に自由端部２２ａにはＹ方向におけるほぼ全長にわたって弾性部材３２が設けられている。
【００２６】
第２と第３のフラップに設けられる弾性部材３１、３２の各伸縮張力は、おむつ１をＹ方向が平面となるように展開させたときの防漏カフ４０Ａの自由端部２０ａに設けられる弾性部材３０の伸縮張力より小さいことが好ましい。例えば、防漏カフ４０Ａの自由端部２０ａに設けられる弾性部材３０として、１１２０デニールのものを用いた場合、２００％伸長時の伸縮張力が好ましくは１００ｇ以下、一方、各フラップの弾性部材３１、３２はそれぞれ８４０デニールのものである場合、２００％伸長時の伸縮張力が好ましくは８０ｇ以下である。このようにすると防漏カフ４０Ａを確実にＺ方向へと起立させることができる。また、装着者に対する締め付けもきつくなること無く、それぞれの弾性部材が適度な強さでフィットする。
【００２７】
また、第２と第３のフラップ２１、２２の形成位置は、間隔２０ｈ＝１０〜１５ｍｍ、間隔２１ｈ＝１０〜１５ｍｍ、間隔２２ｈ＝５〜１０ｍｍであることが好ましい。また第２と第３のフラップ２１、２２のＸ方向への突出幅２１ｗは５〜１５ｍｍであることが好ましい。そして、最終的に得られる防漏カフ４０Ａの高さ４０ｈは２５〜４０ｍｍ程度であることが好ましい。このような条件の下では、おむつ装着時に防漏カフと各フラップの自由端部のみが装着者に接するようになる。
【００２８】
第２と第３のフラップは、Ｙ方向に沿って、疎水性シート１４のほぼ全長にわたって形成されているが、図１に示すハッチングされた領域においては第２と第３のフラップの自由端部２１ａ、２２ａ側において、第２と第３のフラップが互いに好ましくは接合されている。すなわち、領域４５では、図３に示すように上下に位置する第２と第３のフラップの自由端部２１ａ、２２ａ側がホットメルト型接着剤や、超音波や加熱による熱融着により、接合されている。
【００２９】
このようにＹ方向に沿って間隔をあけて第２と第３のフラップの自由端部どうしを接合すると、図４に示すように接合されていない領域においては、フラップ２１、２２が吸収コア１２とほぼ平行にＸ方向へ突出された状態が保たれ、または領域４５に近づくにつれてフラップ２１、２２の自由端部２１ａ、２２ａが互いに内側へ向き合う状態になる。その結果、自由端部が接合されていない領域において図２に示すようなポケット４１が形成される。排泄物がこのポケット４１内に保持されるため、排泄物が防漏カフを乗り越えておむつの外へと漏れることが生じにくくなる。
【００３０】
このときポケット４１を確実に形成させるため、領域４５におけるＸ方向における接合幅４５ｗは３〜５ｍｍであることが好ましい。また、ポケット４１が排泄物を保持する為の機能を十分に引き出すためには、領域４５のＹ方向における接合長さ４５ｄは、隣合う接合領域の間隔（非接合領域のＹ方向における長さ）４６以下であることが好ましい。なお、隣り合う接合領域の間隔、すなわちポケット４１の開口長さ４６は５〜２０ｍｍであることが好ましい。
【００３１】
さらにまた、第２と第３のフラップの間では、第２のフラップ２１と第３のフラップ２２のほぼ中間部に、第２と第３のフラップとは反対側（おむつの外側）のＸ方向へと突出する外向フラップ２５が好ましくは形成されている。第２と第３のフラップ２１、２２と同様に、固定端部２５ｂから自由端部２５ａまで延出し、その突出幅は第２と第３のフラップの突出幅と同様に、好ましくは５〜１５ｍｍである。また、自由端部２５ａには弾性部材３５が設けられている。このような、外向フラップ２５を設けることにより、反対側に突出する第２と第３のフラップ２１、２２との関係においてバランスがとれるので、防漏カフ４０Ａの起立性がさらに高まる。また、この場合ポケット４１の形状が排泄物を保持するのに好ましい形状となる。
【００３２】
なお、疎水性シート１４の前後端部１４Ａ、１４Ｃでは、第２と第３のフラップを含む防漏カフ４０Ａ全てがトップシート１０に接合されている。このとき、疎水性シート１４を図４に示すような状態で折り畳んで接合すると、製造工程が簡単であり、且つ装着時に防漏カフ４０ＡがＺ方向へと立ち上がりやすいものとなる。
【００３３】
防漏カフ４０Ａを形成する疎水性シート１４は好ましくは通気性である。例えば、ポリプロピレン繊維で形成されたスパンボンド不織布や、スパンボンド不織布とメルトブロー不織布とスパンボンド不織布とを重ねたシートなど、疎水性繊維で形成された不織布や、不透液性の樹脂シートなどで形成されうる。疎水性シート１４が熱可塑性であれば、加熱処理や超音波処理によって各フラップを形成できるので便利である。
【００３４】
また、使い捨ておむつ１の側部４において、使い捨ておむつ１の縦方向（Ｙ方向）に延びる弾性部材３９、３９が、疎水性シート１４とバックシート１１の間に接着固定されている。この弾性部材３９、３９がＹ方向に弾性収縮することにより、使い捨ておむつ１のＸ方向の両側部領域でトップシート１０およびバックシート１１が収縮させられ、足回りにフィットするレッグカフが形成される。なお、疎水性シート１４の代わりに、トップシート１０を側部４方向へ延出させ、トップシート１０とバックシート１１との間に弾性部材を接着固定させることもできる。
【００３５】
次に、本発明の他の実施の形態を具体例を挙げて説明する。図５、図６、図７、図８はそれぞれ本発明の吸収性物品の防漏カフの他の実施の形態を示す部分拡大断面図である。図９は図８の防漏カフの接合状態を示す部分拡大断面図である。
【００３６】
図５では、防漏カフ４０Ｂに第２のフラップ２１と第３のフラップ２２が設けられている。ただし、図１〜３の防漏カフ４０Ａに示したような外向フラップは設けられていない。このような場合であっても、防漏カフ４０Ｂは装着者方向へと起立することができ、ポケット内に排泄物を保持させることができる。
【００３７】
また、図６の防漏カフ４０Ｃに示すように、フラップの自由端部には弾性部材が設けられてなくてもよい。この場合、第２のフラップ２１と第３のフラップ２２とが、吸収コア１２と平行にＸ方向へ突出しづらいので、例えば図１及び図３において説明したように、Ｙ方向へ所定間隔ごとに第２のフラップ２１と第３のフラップ２２とが自由端部２１ａ、２２ａ側において接合されることが好ましい。自由端部に弾性部材が設けられていなくても、このように接合させることで排泄物を保持するポケットを形成させることができる。
【００３８】
また、図７の防漏カフ４０Ｄに示すように、第３のフラップ２２は第２のフラップ２１を形成する疎水性シート１４ａとは別のシート１４ｂで形成することができる。この場合、防漏カフ４０Ｄの固定端部２０ｂから、第３のフラップ２２の固定端部２２ｂまで接合されていることが好ましい。また、このとき、第３のフラップは疎水性シートでなくてもよい。このように、それぞれのフラップを別々のシートで形成し、組み合せて防漏カフを構成することもできる。
【００３９】
また、図８の防漏カフにおいては、固定端部２０ｂから自由端部２０ａまで波形となっている。固定端部２０ｂから所定間隔をあけた位置に弾性部材３２を設けることにより第３のフラップ２２が、さらに所定間隔をあけた位置に弾性部材３５を設けることにより外向フラップが、さらに所定間隔をあけた位置に弾性部材３１を設けることにより第２のフラップ２１がそれぞれ形成されている。そして、第２のフラップの自由端部２１ａと第３のフラップの自由端部２２ａとが、すなわち幅方向中心側に向く２つの波の頂点どうしが、図９に示すように、前記長手方向に間隔を開けて接合されている。その結果、接合部間で、排泄物を保持するポケットが形成される。
【００４０】
防漏カフ４０Ｅのように疎水性シート１４の内面どうしを接合することなくフラップを形成している場合、第２のフラップ２１と第３のフラップ２２とが、吸収コア１２と平行にＸ方向へ突出しづらいので、例えば図１及び図３において説明したように、Ｙ方向へ所定間隔ごとに第２のフラップ２１と第３のフラップ２２とが自由端部２１ａ、２２ａ側において接合させることが好ましい。
【００４１】
その他、本発明の吸収性物品の防漏カフには、第２、第３のフラップのほか、さらに第４や第５のフラップを形成させてもよい。また、疎水性シートを接合して形成したフラップと、接合しないで形成したフラップとを組み合せて防漏カフを形成してもよい。また、各フラップは、防漏カフの長手方向の全てにわたって設けられる必要はなく、また各フラップに設けられる弾性部材は、防漏カフの長手方向の全てにわたって設けられる必要はない。
【００４２】
なお、本発明の吸収性物品に設けられる防漏カフは前記砂時計形状のオープン型使い捨ておむつに限られず、長方形のオープン型使い捨ておむつまたは予めパンツ型に形成された使い捨ておむつであってよい。その他、生理用品や尿取りパッドなどの吸収性物品にも適用可能である。
【００４３】
【発明の効果】
以上詳述したように、本発明の吸収性物品では、防漏カフのフラップの存在によって排泄物の流速を遅くさせることができるので、排泄物が防漏カフを乗り越えておむつの外へと漏れることを防止できる。また、本発明の吸収性物品の装着時には防漏カフの自由端部とフラップの各自由端部が肌に接触することとなり、おむつの肌に対する接触面積は少ないので、装着者の肌に対する摩擦が少なくて済む。さらに、各フラップの固定端部近辺において肌との間に空隙ができるので空気の流通が生じやすく、ムレやかぶれなどの発生を抑えることができる。よって、装着時の不快感を低減できる。
【００４４】
さらに、上下に位置するフラップの自由端部側を間欠的に接合することにより、ポケットが形成されるので、排泄物が横に流れたときポケット内に保持させることができる。結果、さらに漏れが生じにくくなる。
【図面の簡単な説明】
【図１】本発明の使い捨ておむつを透液性シート側から示す平面図
【図２】図１に示したおむつのＩＩ−ＩＩ線の断面図
【図３】図１に示したおむつのＩＩＩ−ＩＩＩ線の断面図
【図４】端部における防漏カフの状態を説明する部分断面図
【図５】本発明の吸収性物品の防漏カフの他の実施の形態を示す部分拡大断面図
【図６】本発明の吸収性物品の防漏カフの他の実施の形態を示す部分拡大断面図
【図７】本発明の吸収性物品の防漏カフの他の実施の形態を示す部分拡大断面図
【図８】本発明の吸収性物品の防漏カフの他の実施の形態を示す部分拡大断面図
【図９】図８に示した防漏カフの接合状態を示す部分拡大断面図
【図１０】従来の使い捨ておむつの防漏カフの一部断面図
【符号の説明】
１  使い捨ておむつ
２Ａ  前面部
２Ｂ  中間部
２Ｃ  背面部
３Ａ  前ウェスト部
３Ｃ  後ウェスト部
４  側部
１０  トップシート
１１  バックシート
１２  吸収コア
１４  疎水性シート
１４Ａ、１４Ｃ  疎水性シートの端部
１７  掛止シート
２０ａ  自由端部
２０ｂ  固定端部
２１  第２のフラップ
２１ａ  自由端部
２１ｂ  固定端部
２２  第３のフラップ
２２ａ  自由端部
２２ｂ  固定端部
２５  外向フラップ
２５ａ  自由端部
２５ｂ  固定端部
３０、３１、３２、３５、３９  弾性部材
４５  自由端部側が接合されている領域
４０Ａ、４０Ｂ、４０Ｃ、４０Ｄ、４０Ｅ  防漏カフ
Ｌ１  中心線
【図１】
0003638094.tif 000002
【図２】
0003638094.tif 000003
【図３】
0003638094.tif 000004
【図４】
0003638094.tif 000005
【図５】
0003638094.tif 000006
【図６】
0003638094.tif 000007
【図７】
0003638094.tif 000008
【図８】
0003638094.tif 000009
【図９】
0003638094.tif 000010
【図１０】
0003638094.tif 000011